(57)【要約】【課題】少人数で大容量インバータユニットを簡単にかつ安全に交換できるユニット交換機能を有する制御盤を提供する。【解決手段】大容量のインバータユニットを実装する制御盤において、天井部に設置されたウインチと、両側部に設置された縦向きと横向きのガイドレールと、インバータユニットが取付けられ、上記ガイドレールに沿って移動させる車輪を有するユニット取付板を備え、インバータユニットの着脱時には、上記取付け板ごとインバータユニットを上記ウインチで吊り下げた状態で、上記取付板を上記ガイドレールに沿って縦向きと横向きの一方から他方に移動させることを特徴とする。【選択図】図１
2011114942.tif 000002
【特許請求の範囲】
【請求項１】
大容量のインバータユニットを実装する制御盤において、
天井部に設置されたウインチと、
両側部に設置されたガイドレールと、
インバータユニットが取付けられ、上記ガイドレールに沿って移動させる車輪を有するユニット取付板を備え、
インバータユニットの着脱時には、上記取付板ごとインバータユニットを上記ウインチで吊り下げた状態で、上記取付板を上記ガイドレールに沿って移動させることを特徴とするユニット交換機能を有する制御盤。
【請求項２】
請求項１記載のユニット交換機能を有する制御盤において、上記ガイドレールは縦向きと横向きのガイドレールからなり、インバータユニットの着脱時には、上記取付板ごとインバータユニットを上記ウインチで吊り下げた状態で、上記取付板を上記ガイドレールに沿って縦向きと横向きの一方から他方に移動させることを特徴とするユニット交換機能を有する制御盤。
【請求項３】
請求項１または２に記載のユニット交換機能を有する制御盤において、上記ガイドレールは縦向きと横向きのガイドレールと、両ガイドレールを接続する傾斜状ガイドレールから構成されることを特徴とするユニット交換機能を有する制御盤。
【請求項４】
請求項１〜３のいずれかに記載のユニット交換機能を有する制御盤において、上記ガイドレールは、常時はインバータユニットの外側に退避した位置にあり、インバータユニットの着脱時に上記ユニット取付板の車輪に接触する位置にスライドするように設置されていることを特徴とするユニット交換機能を有する制御盤。
【請求項５】
請求項１〜４のいずれかに記載のユニット交換機能を有する制御盤において、上記取付け板は制御盤を構成する内枠に着脱自在に取付けられることを特徴とするユニット交換機能を有する制御盤。
【発明の詳細な説明】
【技術分野】
【０００１】
本発明は、大容量インバータなどを盤内へ取り付け、取り外しが行なえるユニット交換機能を有する制御盤に関する。
【背景技術】
【０００２】
汎用インバータユニットの制御盤への取付け、又は取外す交換作業において、大容量のインバータユニットは重量物であり、人の手で運搬や交換できるもので無いことから、従来、リフター等の外部の交換用ツールなどを使用している。特許文献１には、ホイストやリフターで作業する例が示されている。
【０００３】
特許文献１のホイストの例では、制御盤の少し前の上方にホイストが設置され、インバータを装着する際には、ホイストの真下に運搬されてきたインバータを、その吊金具とホイストとの間にワイヤを掛けてホイストで吊り上げ、数人でインバータを制御盤の中に押し込みながらホイストを少しずつ緩めて設置場所に持っていく。取り外す際にも数人でインバータを押すようにして支えながらホイストで僅かずつインバータを吊上げて前方へ移動させ、制御盤から取り出される。
【０００４】
特許文献１のリフタの例では、インバータユニットを制御盤に装着又は取り外すための着脱装置として、インバータを積載するユニット台車と前記ユニット台車を昇降させるリフタからなり、台車に載ったインバータを設置床面の高さにリフタで上げ、台車によって渡し板を渡り、設置場所まで移動してインバータが台車と共に制御盤に設置される。
【先行技術文献】
【特許文献】
【０００５】
【特許文献１】特開平７−１２３５３９号公報
【発明の概要】
【発明が解決しようとする課題】
【０００６】
しかしながら、上記特許文献１に示されるホイストの例では、着脱時にホイストで吊り下げられたインバータを数人で押すようにして支えながら作業をすることになり、作業に多人数を要して機敏に対応しにくく、また作業に若干の危険を伴う難点がある。上記リフタの例では、交換ツールとしての台車とリフタが必要となると共に、制御盤の前面にリフターを使用するためのメンテナンススペースが３ｍ以上必要であり、また制御盤下部の開口部にリフターの脚部が入り込むための制限部分が出てくる。さらに、インバータを台車と共に制御盤内に装着されるので、制御盤が大型化してしまう難点がある。
【０００７】
本発明は、上記従来技術の問題点を解消し、少人数で大容量インバータユニットを簡単かつ安全に交換できる、ユニット交換機能を有する制御盤を提供するものである。
【課題を解決するための手段】
【０００８】
本発明は、上記課題を解決するために、大容量のインバータユニットを実装する制御盤において、
天井部に設置されたウインチと、
両側部に設置されたガイドレールと、
インバータユニットが取付けられ、上記ガイドレールに沿って移動させる車輪を有するユニット取付板を備え、
インバータユニットの着脱時には、上記取付板ごとインバータユニットを上記ウインチで吊り下げた状態で、上記取付板を上記ガイドレールに沿って移動させることを特徴とする。
【０００９】
また、上記記載のユニット交換機能を有する制御盤において、上記ガイドレールは縦向きと横向きのガイドレールからなり、インバータユニットの着脱時には、上記取付板ごとインバータユニットを上記ウインチで吊り下げた状態で、上記取付板を上記ガイドレールに沿って縦向きと横向きの一方から他方に移動させることを特徴とする。
【００１０】
また、上記記載のユニット交換機能を有する制御盤において、上記ガイドレールは縦向きと横向きのガイドレールと、両ガイドレールを接続する傾斜状ガイドレールから構成されることを特徴とする。
【００１１】
また、上記のいずれかに記載のユニット交換機能を有する制御盤において、上記ガイドレールは、常時はインバータユニットの外側に退避した位置にあり、インバータユニットの着脱時に上記ユニット取付板の車輪に接触する位置にスライドするように設置されていることを特徴とする。
【００１２】
上記のいずれかに記載のユニット交換機能を有する制御盤において、上記取付板は制御盤を構成する内枠に着脱自在に取付けられることを特徴とする。
【発明の効果】
【００１３】
本発明によれば、大容量インバータユニットを着脱するに際し、少人数で簡単にかつ安全に大容量インバータユニットを交換できる。
【図面の簡単な説明】
【００１４】
【図１】本発明の第１実施例のユニット移動前の側面図。
【図２】同じくユニット移動中の側面図。
【図３】同じくユニット移動後の側面図。
【図４】同じく制御盤の正面図。
【図５】本発明の第２実施例のユニット移動前の側面図。
【図６】同じくユニット移動中の側面図。
【図７】同じくユニット移動後の側面図。
【発明を実施するための形態】
【００１５】
図１と図４に基づいて本発明の第１実施例を説明する。１は、内部にインバータユニット２が取付けられる制御盤（高さが２ｍ以上の規模）で、縦向きに制御盤内枠３が配置されている。インバータユニット２は、ユニット取付板４に固定され、このユニット取付板４が制御盤を構成する内枠３にねじ止めにより取付けられることにより、制御盤１内に強固に取付けられる。
【００１６】
５はインバータユニット２を着脱する際に上記ユニット取付板４を案内するガイドレールで、制御盤１の両側部に設けられた縦向きのガイドレール５ａと、これに直行するように配置された横向きのガイドレール５ｂからなる。横向きのガイドレール５ｂは、制御盤の通常の使用時には制御盤１内に収納されている。縦向きのガイドレール５ａは図４に示すように矢印方向にスライド可能に設けられており、制御盤の通常の使用時にはインバータユニット２の側面から制御盤１の内壁側に退いて配置されている。
【００１７】
６はユニット取付板４の両側に合計４個装着された車輪で、インバータユニット２を着脱する際に上記ガイドレール５に回転係合し、ユニット取付板ごとインバータユニット２をガイドレールに沿って案内する。７は制御盤１の天井部に設けられたウインチ、９はインバータユニット２の真上の制御盤１の天井に固定されたプーリー、８はウインチ７に巻取りまたは巻戻しされるワイヤである。プーリー９から垂らしたワイヤ８でインバータユニット２の上部を吊り上げ、ウインチ７でワイヤを巻取り、または巻戻しすることにより、インバータユニット２を上下に昇降させる。
【００１８】
次に図１〜図３に基づいて、インバータユニット２の交換のために制御盤から取外す動作を説明する。
【００１９】
先ず図１において、ウインチ７でインバータユニット２を僅かに吊上げた状態で、ユニット取付板４を制御盤内枠３から取外す。次いで、ガイドレール５ａ、５ｂをインバータユニット２側に引き寄せ、車輪６をガイドレール５ａに係合させる。ユニット取付け板４はインバータユニット２と共にワイヤ８で吊下げられた状態でガイドレールに案内され、ウインチ７を徐々に緩める（巻戻し）ことにより移動しようとする。上方の車輪６がガイドレール５ｂに回転係合し、下方の車輪６がガイドレール５ｂに回転係合して矢印方向に案内される。
【００２０】
図２に示すように、ユニット取付板４はインバータユニット２と共に両ガイドレール５ａ、５ｂに係合して徐々に傾斜しながら案内され、最終的に図３に示すようにガイドレール５ｂの上に寝かせた状態に案内される。図３の位置からは、ガイドレール５ｂと同じ高さの台車（図示せず）にユニット取付板４と共にインバータユニット２を移し変え、所定の場所に運搬される。
【００２１】
上記した一連のインバータユニット２の取外し作業は、ウインチ７のワイヤを徐々に緩めることにより行なわれるので、安全で、作業人数も少なくて済む。
【００２２】
インバータユニット２の交換のため、新規ユニット２を制御盤に装着する時は、図３に示すように台車（図示せず）から搬送された新規のインバータユニット２を、ユニット取付板４と共にガイドレール５ｂの上に寝かせた状態で制御盤に搬入する。次いで、ワイヤ８をインバータユニット２の上部に取付け、ウインチ７を徐々に巻き上げてユニット取付板４と共にインバータユニット２を起こし上げて、吊り上げていく。インバータユニット２は、図２に示すように、ガイドレール５ａ、５ｂに案内されて傾斜して徐々に吊り上げられ、最終的に図１に示すように、縦向きに吊り上げられる。この状態でユニット取付板４が制御盤内枠３にねじ止めにより強固に取付けられ、最後にワイヤ８をインバータユニット２から外して終了する。
【００２３】
インバータユニット２の一連の装着の動きは、ウインチ７のワイヤを徐々に巻き上げることによりゆっくり安全に行われ、作業人数も少なくて済む。
【００２４】
次に図５〜図７に基づいて本発明の第２実施例を説明する。第１実施例と異なる点は、ガイドレール５が縦向きと横向きのガイドレールと、両ガイドレールの間の傾斜状ガイドレールから構成されることである。すなわち、縦向きのガイドレール５ａが制御盤１の下方に延び、横向きのガイドレール５ｂが制御盤１の床に設置され、これらのガイドレールの間に、湾曲した傾斜状ガイドレール５ｃが接続されている。その他の第１実施例と同一符号は、同一部分を示す。
【００２５】
上記構成において、インバータユニット２の交換のために制御盤１から取外す動作を説明する。先ず図５において、ウインチ７でインバータユニット２を僅かに吊上げた状態で、ユニット取付板４を制御盤内枠３から取外す。次いで、ガイドレール５ａ、５ｂ、５ｃをインバータユニット２側に引き寄せ、車輪６をガイドレール５ａに係合させる。ユニット取付板４は、インバータユニット２と共にワイヤ８で吊下げられた状態で車輪６を介してガイドレール５ａに係合して案内され、ウインチ７を徐々に緩めることにより矢印方向に降下する。
【００２６】
降下が進んで、下方の車輪６が傾斜状ガイドレール５ｃを案内されてガイドレール５ｂに至る。図６に示すように、ユニット取付板４はインバータユニット２と共に両ガイドレール５ａ、５ｂに係合して、徐々に傾斜しながら降下し、最終的に図７に示すようにガイドレール５ｂの上に寝かせた状態に案内される。図７の位置からは第１実施例と同様に、ガイドレール５ｂと同じ高さの台車（図示せず）にユニット取付板４と共にインバータユニット２を移し変え、所定の場所に運搬される。本実施例では、ガイドレール５ｂが制御盤１の床付近に設置されているので、台車（図示せず）は低いものでよい。
【００２７】
上記インバータユニット２の取外しの一連の動きは、ウインチ７のワイヤを徐々に緩めることにより安全に行われ、作業人数も少なくて済む。また、傾斜状ガイドレール５ｃを用いているので、縦向きと横向きのガイドレールの間の接続が円滑であり、インバータユニット２の下降時に、縦向きから傾斜した向きへの切り換わりが円滑になされ、重量物であるインバータユニット２をより安全に移動できる。
【００２８】
インバータユニット２の交換のために、新規のユニット２を制御盤１に装着する時は、図７に示すように台車（図示せず）から搬送されたインバータユニット２を、ユニット取付板４と共にガイドレール５ｂの上に寝かせた状態で制御盤１に搬入する。次いで、ワイヤ８をインバータユニット２の上部に取付け、ウインチ７を徐々に巻き上げてユニット取付け板４と共にインバータユニット２を起こし上げて、吊り上げていく。インバータユニット２は、図６に示すように、ガイドレール５ｂ、５ｃ、５ａに案内されて傾斜しながら徐々に吊り上げられ、最終的に図５に示すように、縦向きに吊り上げられる。この状態でユニット取付板４が制御盤内枠３にねじ止めにより強固に取付けられ、最後にワイヤ８をインバータユニット２から外して終了する。
【００２９】
上記装着する作業においても、傾斜状ガイドレール５ｃを用いているので、横向きと縦向きへのガイドレールの間の接続が円滑であり、インバータユニット２の引き上げ時に、横向きから傾斜した向きへの切り換わりが円滑になされ、重量物であるインバータユニット２をより安全に移動して装着することができる。
【符号の説明】
【００３０】
１…制御盤、２…インバータユニット、３…制御盤内枠、４…ユニット取付板、５…ガイドレール、５ａ…縦向きのガイドレール、５ｂ…横向きのガイドレール、５ｃ…傾斜状ガイドレール、６…タイヤ、７…ウィンチ、８…ワイヤ、９…プーリー。
【図１】
2011114942.tif 000003
【図２】
2011114942.tif 000004
【図３】
2011114942.tif 000005
【図４】
2011114942.tif 000006
【図５】
2011114942.tif 000007
【図６】
2011114942.tif 000008
【図７】
2011114942.tif 000009